(57)【要約】【課題】遊技機から排出された遊技球の移送性を良好なものとすることができる排出樋の樋本体底部に敷設される底部形成部材を提供する。【解決手段】排出樋１５は、複数のパチンコ機が設置された島設備内に設けられ、各パチンコ機から排出された遊技球Ｂを受け入れ該遊技球Ｂを転動移送させるためのものである。排出樋１５の樋本体３０底部３１に敷設される底部形成部材４０は各パチンコ機から排出された遊技球Ｂを受ける球受け部４２，４３を有するとともに、該遊技球Ｂを転動させる転動面４１ａを備えた樋部４１を有している。球受け部４２，４３は該球受け部４２，４３に落下した遊技球Ｂを転動面４１ａに向かって案内する下り傾斜した傾斜面４２ａ，４３ａを備え、該傾斜面４２ａ，４３ａの下端縁と前記転動面４１ａの端縁とは連続して繋いで形成されている。【選択図】      図３
2006061669.tif 000002
【特許請求の範囲】
【請求項１】
複数の遊技機が設置された島設備内に設けられ、各遊技機から排出された遊技球を受け入れ該遊技球を転動移送させる排出樋の樋本体底部に敷設される底部形成部材であって、
前記各遊技機から排出された遊技球を受ける球受け部を有するとともに、遊技球を転動させる転動面を備えた樋部を有し、前記球受け部は該球受け部に落下した遊技球を前記転動面に向かって案内する下り傾斜した傾斜面を備え、該傾斜面の下端縁と前記転動面の端縁とを連続して繋いだことを特徴とする底部形成部材。
【請求項２】
前記球受け部は、前記樋部における遊技球の転動方向に対して直交する直交方向において前記樋部を挟んで相対向するように設けられている請求項１に記載の底部形成部材。
【発明の詳細な説明】
【技術分野】
【０００１】
本発明は、島設備に設けられ、遊技機から排出された遊技球を移送するための排出樋の樋本体底部に敷設される底部形成部材に関する。
【背景技術】
【０００２】
従来より、パチンコ機が複数設置された島設備内において、各パチンコ機の下方域には、各パチンコ機から排出された遊技球（パチンコ球）を転動させて島設備に設置された揚送装置へと移送するための排出樋が設けられている。このような排出樋としては、例えば特許文献１に記載されるような排出樋が提案されている。
【０００３】
図７に示すように、この特許文献１の排出樋９０は、硬質材から形成され遊技球９１を転動させるための樋部９２と、該樋部９２における遊技球９１の転動方向に対して直交する直交方向の両側部に設けられた軟質材製の球受け部９３とより構成されている。前記樋部９２における前記直交方向の両側部には一対の接合突起９２ａが樋部９２における転動方向に沿って立設されている。それら一対の接合突起９２ａの上端に前記球受け部９３が接合されて樋部９２と球受け部９３とが一体化されている。
【０００４】
島設備内において、前記球受け部９３は、各遊技機から排出された遊技球９１を受けるべく該遊技球９１が落下する位置に配設されている。また、球受け部９３は、接合突起９２ａの高さ分だけ樋部９２上面より上方域に位置し、該球受け部９３の上面は、樋部９２に向かって斜め下方に傾斜する傾斜面９３ａを構成している。そして、遊技機から排出された遊技球９１は球受け部９３の傾斜面９３ａ上に落下し、軟質材よりなる球受け部９３によって落下の際の衝撃が吸収される。さらに、遊技球９１は傾斜面９３ａによって樋部９２に向かって転動するように案内され、球受け部９３から樋部９２へと移送された後、該樋部９２を転動して揚送装置へと移送される。
【特許文献１】特公昭６１−４０４３３号公報
【発明の開示】
【発明が解決しようとする課題】
【０００５】
ところで、特許文献１に記載の排出樋９０では、球受け部９３は樋部９２に立設された接合突起９２ａ上に設けられ、球受け部９３の上面（傾斜面９３ａ）と樋部９２の上面との間には高低差（段差）が生じている。このため、球受け部９３に落下した遊技球９１は、球受け部９３から樋部９２へと再度落下することによって樋部９２へ移送されることとなり、樋部９２へ移送された遊技球９１は落下時の樋部９２との衝突によって該樋部９２上で転動をほぼ停止した状態や転動速度が低下した状態になってしまう。そして、樋部９２上で転動をほぼ停止した状態や転動速度が低下した状態の遊技球９１は、樋部９２の傾斜を利用して転動を再開したり加速されて揚送装置へ向かって移送されるため、球受け部９３から樋部９２に移送された後の遊技球９１の樋部９２における移送性が良好でないという問題がある。
【０００６】
この発明は、このような従来の技術に存在する問題点に着目してなされたものであり、その目的は、遊技機から排出された遊技球の移送性を良好なものとすることができる排出樋の樋本体底部に敷設される底部形成部材を提供することにある。
【課題を解決するための手段】
【０００７】
上記問題点を解決するために、請求項１に記載の発明は、複数の遊技機が設置された島設備内に設けられ、各遊技機から排出された遊技球を受け入れ該遊技球を転動移送させる排出樋の樋本体底部に敷設される底部形成部材であって、前記各遊技機から排出された遊技球を受ける球受け部を有するとともに、遊技球を転動させる転動面を備えた樋部を有し、前記球受け部は該球受け部に落下した遊技球を前記転動面に向かって案内する下り傾斜した傾斜面を備え、該傾斜面の下端縁と前記転動面の端縁とを連続して繋いだことを要旨とする。
【０００８】
請求項２に記載の発明は、請求項１に記載の排出樋の底部形成部材において、前記球受け部は、前記樋部における遊技球の転動方向に対して直交する直交方向において前記樋部を挟んで相対向するように設けられていることを要旨とする。
【発明の効果】
【０００９】
遊技機から排出された遊技球の移送性を良好なものとすることができる排出樋の樋本体底部に敷設される底部形成部材を提供することができる。
【発明を実施するための最良の形態】
【００１０】
以下、本発明を島設備内に設けられる排出樋の樋本体底部に敷設される底部形成部材に具体化した一実施形態を図１〜図５に基づき説明する。
図１に示すように、遊技店に据え付けられた島設備１０には、その設置島台Ｓ上に複数台のパチンコ機（遊技機）Ｐが背面を対向させた状態で列設されている。また、島設備１０には、パチンコ機Ｐの列設方向（図１では左右方向）の略中央に、球揚送装置１１が設置されている。この球揚送装置１１は図示しない研磨リフトを介して遊技球を研磨しながら上方へと揚送するものであり、球揚送装置１１の上方端と対応する位置には多数の遊技球を貯留可能な島タンク１２が設置されている。前記各パチンコ機Ｐの上方域には、該各パチンコ機Ｐへ前記島タンク１２内に貯留された遊技球を分配供給するための球供給樋１４が前記球揚送装置１１側を上流端とする斜状態様で左右一対設けられている。そして、各球供給樋１４からは複数の球分配シュート（図示略）が各パチンコ機Ｐと個別対応するように分岐形成され、当該各分配シュートを介して各パチンコ機Ｐへ遊技球が分配供給されるようになっている。
【００１１】
一方、前記島設備１０内における各パチンコ機Ｐの下方域には、該各パチンコ機Ｐから排出された遊技球Ｂ（例えばアウト球等）を受け入れ転動移送させるための排出樋１５が前記球揚送装置１１側を下流端とする斜状態様で左右一対設けられている。前記排出樋１５は、各下流端が前記島設備１０におけるパチンコ機Ｐの列設方向の略中央で前記球揚送装置１１の下方端と対応する位置に設置された球回収タンク１９内まで延設されている。排出樋１５は、上流端側から下流端側に向かって遊技球が転動し得るように傾斜させて設置されている。なお、排出樋１５の傾斜角θ１（図１に示す）は、島設備１０の大きさ（パチンコ機Ｐの列設方向に沿う長さ）や球回収タンク１９の位置などによって変化するが、３〜１０度程度となる。
【００１２】
図２に示すように、島設備１０内において、前記排出樋１５と各パチンコ機Ｐとの間にはアウトタンク１６が設置されている。前記アウトタンク１６は、各パチンコ機Ｐの機裏側（背面側）と対向するように設置島台Ｓ上に設置されている。アウトタンク１６は、パチンコ機Ｐの機裏側の球排出口Ｐａから排出された遊技球Ｂを受け入れるようになっている。さらに、アウトタンク１６は、受け入れた遊技球Ｂの数を該アウトタンク１６に備えられた球計数機１７にて計数するようになっている。そして、アウトタンク１６は遊技球Ｂの数を計数した後、該アウトタンク１６に接続された蛇腹状をなす排出管１８を介して遊技球Ｂを排出樋１５に排出するようになっている。したがって、パチンコ機Ｐから排出された遊技球Ｂは、アウトタンク１６、球計数機１７及び排出管１８を介して排出樋１５へと排出されるようになっている。そして、排出樋１５内へと排出された遊技球Ｂは、当該排出樋１５内を下流端側に向けて流下し、その下流端から前記球回収タンク１９内へ放出されることになる。すなわち、排出樋１５はパチンコ機Ｐから排出された遊技球Ｂを受け入れ該遊技球Ｂを球回収タンク１９へ転動移送させるためのものである。その後、球回収タンク１９内に放出された遊技球Ｂは、球揚送装置１１内に取り込まれて島タンク１２へ揚送されるようになっている。
【００１３】
次に、前記排出樋１５について詳細に説明する。
図３に示すように、排出樋１５は、該排出樋１５の外郭を形成する樋本体３０と、該樋本体３０の底部３１に敷設されて排出樋１５の底部を形成する底部形成部材４０とが一体化されて形成されている。具体的には、前記樋本体３０の底部３１に前記底部形成部材４０が接着剤によって接着されている。前記樋本体３０は長尺状に製造されている。また、樋本体３０は、底部３１の長辺側の両縁部に側壁３２が相対向するように立設されて製造されている。
【００１４】
前記底部形成部材４０は手長方向へ延びる樋部４１と、該樋部４１の長辺側の両縁部に形成された球受け部４２，４３とを備えている。前記樋部４１は排出樋１５内で遊技球Ｂを転動させるために排出樋１５に設けられている。また、前記球受け部４２，４３はパチンコ機Ｐ（アウトタンク１６）から排出された遊技球Ｂを受けるために排出樋１５に設けられている。ここで、排出樋１５に排出された遊技球Ｂの流下方向を転動方向Ｍ１とし、該転動方向Ｍ１に直交する方向を直交方向Ｍ２とする。そして、前記球受け部４２，４３は、前記直交方向Ｍ２において前記樋部４１を挟んで相対向するように形成されている。
【００１５】
前記樋部４１は、該樋部４１の一面たる上面に、排出樋１５に排出された遊技球Ｂを転動させるための転動面４１ａを備えている。この転動面４１ａは、前記転動方向Ｍ１及び直交方向Ｍ２へ平坦に延びる平面状に形成されている。前記球受け部４２，４３の上面はそれぞれ樋部４１に向かって下り傾斜するように形成され、一方（図３では左方）の球受け部４２は上面に傾斜面４２ａを備え、他方（図３では右方）の球受け部４３は上面に傾斜面４３ａを備えている。そして、上記構成の底部形成部材４０は、樋本体３０の底部３１に敷設されることにより、樋本体３０とともに排出樋１５を形成し、排出樋１５内には樋部４１、転動面４１ａ、球受け部４２，４３及び傾斜面４２ａ，４３ａが設けられることになる。また、排出樋１５において、各側壁３２の内面に各球受け部４２，４３の傾斜面４２ａ，４３ａが連設し、各側壁３２の内面と球受け部４２，４３の間に隙間が形成されないようになっている。
【００１６】
さて、各傾斜面４２ａ，４３ａは、それぞれ下端縁が、前記転動面４１ａの端縁と連続して繋がるように形成されている。すなわち、各傾斜面４２ａ，４３ａの下端縁と転動面４１ａの端縁との間には段差が形成されず（無段差状）、各傾斜面４２ａ，４３ａと転動面４１ａとは段差なく連設されている。そして、パチンコ機Ｐ（アウトタンク１６）から排出された遊技球Ｂが各球受け部４２，４３に落下すると、各傾斜面４２ａ，４３ａの傾斜によって、遊技球Ｂを転動させながら転動面４１ａへ案内するようになっている。なお、転動面４１ａに対する各傾斜面４２ａ，４３ａの傾斜角θ２（図４参照）は、５〜１５度程度に設定される。
【００１７】
そして、島設備１０においては、上記構成の排出樋１５の各球受け部４２，４３で遊技球Ｂが受け入れられるようにアウトタンク１６の排出管１８が位置決めされている。すなわち、アウトタンク１６は、排出管１８が各球受け部４２，４３の上方位置に配置されるように位置調整されて設置島台Ｓに設置される。なお、排出樋１５に排出された遊技球Ｂは、球受け部４２，４３の傾斜面４２ａ，４３ａによって図３に示す直交方向Ｍ２に向かって転動案内される。このため、遊技球Ｂは、球受け部４２と球受け部４３との間を往復しつつ、排出樋１５を流下していくことになる。したがって、遊技球Ｂを図３に示す転動方向Ｍ１に向かって早く転動させるためには、遊技球Ｂを各傾斜面４２ａ，４３ａの最下端側（転動面４１ａの端縁側）に近い位置に落下させることが好ましい。すなわち、排出管１８は、各傾斜面４２ａ，４３ａの最下端側の上方位置に配置されるのが好ましい。
【００１８】
次に、以上のように構成された本実施形態の排出樋１５に遊技球Ｂが排出された場合の作用について図３〜図５を参照しながら説明する。なお、以下の説明では、図２における左側のパチンコ機Ｐのアウトタンク１６から遊技球Ｂが排出樋１５へ排出された場合について説明することとする。そして、右側のパチンコ機Ｐのアウトタンク１６から遊技球Ｂが排出された場合については左側のパチンコ機Ｐのアウトタンク１６から排出された場合と同様であるため、その説明を省略する。また、図５（ａ）及び（ｂ）に示すように、左側の傾斜面４２ａ上に遊技球Ｂが落下した位置を落下点Ｐ１，Ｐ２とし、傾斜面４２ａの下端縁（傾斜面４２ａと転動面４１ａとの接線）と、傾斜面４２ａ上における遊技球Ｂの落下点Ｐ１，Ｐ２との距離を距離Ｌ１，Ｌ２とする。
【００１９】
なお、落下点Ｐ１は遊技球Ｂが側壁３２に近い位置に落下したときの落下点であり、落下点Ｐ２は遊技球Ｂが前記落下点Ｐ１よりも転動面４１ａに近い位置に落下したときの落下点である。また、落下点Ｐ１は転動面４１ａからの垂直高さが、前記落下点Ｐ２の転動面４１ａからの垂直高さよりも高くなっている。そして、図５（ａ）には遊技球Ｂが落下点Ｐ１に落下したときの遊技球Ｂの軌跡Ｋ１と、遊技球Ｂが落下点Ｐ２に落下したときの遊技球Ｂの軌跡Ｋ２とを示している。
【００２０】
まず、遊技球Ｂが落下点Ｐ１に落下した場合について説明する。図３〜図５（ａ）及び（ｂ）に示すように、落下点Ｐ１に落下した遊技球Ｂは、傾斜面４２ａの傾斜によって転動面４１ａに向かって転動を開始する。このとき、傾斜面４２ａの傾斜角θ２が、排出樋１５の傾斜角θ１よりも大きい場合、遊技球Ｂの直交方向Ｍ２への回転速度（転動速度）は転動方向Ｍ１への回転速度より大きくなる。したがって、遊技球Ｂはほぼ直交方向Ｍ２へ向かって転動を開始し、徐々に加速しながら転動面４１ａへと転動して該傾斜面４２ａにより転動面４１ａへと案内される。
【００２１】
そして、傾斜面４２ａの下端縁と転動面４１ａの端縁とは連続して繋がり、傾斜面４２ａに対して転動面４１ａが連設されている。このため、転動面４１ａへと向かって転動する遊技球Ｂは、傾斜面４２ａから転動面４１ａへと各面に沿って転動して球受け部４２から樋部４１へと移送される。この結果、遊技球Ｂは、傾斜面４２ａから転動面４１ａへと落下して移送されることがない。したがって、傾斜面４２ａ（落下点Ｐ１）から転動面４１ａへと移送されることによって発生した遊技球Ｂの運動エネルギが、遊技球Ｂの落下に伴う転動面４１ａへの衝突等によって損失されることがない。すなわち、傾斜面４２ａを形成したことにより、転動面４１ａへ移送された遊技球Ｂは転動し続けており、該遊技球Ｂが転動面４１ａにて転動を停止した状態又は回転速度（転動速度）が低下した状態となることを抑制することができる。したがって、転動面４１ａへ移送された遊技球Ｂが、前記停止状態から転動を再開させたり、速度低下状態から排出樋１５の傾斜によって加速させたりするまでに時間が必要になるといった状況が発生することがなくなる。この結果、遊技球Ｂが傾斜面４２ａから転動面４１ａへ移送されたとき、該遊技球Ｂの回転速度（転動速度）の低下を抑制することができる。
【００２２】
そして、傾斜面４２ａから転動面４１ａへと移送された遊技球Ｂは、排出樋１５（転動面４１ａ）の傾斜によって直交方向Ｍ２への回転速度が転動方向Ｍ１への回転運動（転動）へと移行する。このため、転動面４１ａでは、遊技球Ｂは排出樋１５の下流端側へ流下しながら他方の球受け部４３に向かって転動する。そして、転動面４１ａにおいて、遊技球Ｂは排出樋１５の傾斜によって転動方向Ｍ１へ回転速度が付けられたのに加え、傾斜面４２ａの傾斜によって直交方向Ｍ２へ付けられた回転速度も利用して転動面４１ａを転動する。このため、転動面４１ａへ移送された遊技球Ｂを排出樋１５の傾斜のみで転動させる場合と比較して、遊技球Ｂを排出樋１５の下流端側へ速やかに転動させることができる。なお、転動面４１ａは樋部４１における遊技球Ｂの転動方向Ｍ１に対して直交する直交方向Ｍ２へ平坦に延びる平面状に形成されている。このため、傾斜面４２ａから転動面４１ａにまで移送された遊技球Ｂが、転動面４１ａにおける直交方向Ｍ２の中央部に集束してしまうことを無くすことができ、さらには滞留して転動を停止してしまうことを無くすことができる。
【００２３】
そして、図４に示すように、一方の傾斜面４２ａから転動面４１ａへと移送された遊技球Ｂは他方の傾斜面４３ａへと移送される。遊技球Ｂは傾斜面４３ａ上を転動して上昇し、回転速度が低下して転動を停止するが傾斜面４３ａの傾斜によって転動面４１ａに向かって速やかに転動を開始する。ここで、遊技球Ｂが傾斜面４３ａで転動を停止したとき、その停止点Ｐ３から転動面４１ａの端縁までの距離Ｌ３（図５（ａ）及び（ｂ）参照）は、前記落下点Ｐ１から転動面４１ａの端縁までの距離Ｌ１より短くなっている。すなわち、遊技球Ｂが、転動面４１ａの端縁から傾斜面４３ａを上り転動した距離は、遊技球Ｂが、落下点Ｐ１から傾斜面４２ａの端縁まで下り転動した距離より短くなっている。言い換えれば、遊技球Ｂの傾斜面４３ａでの停止点Ｐ３の高さ（転動面４１ａからの高さ）は、落下点Ｐ１における高さ（転動面４１ａからの高さ）より低くなっている。
【００２４】
このため、遊技球Ｂが停止点Ｐ３から転動面４１ａへ向かって転動を再開したときに傾斜面４３ａの傾斜によって発生する回転速度は、遊技球Ｂが前記落下点Ｐ１から転動面４１ａへ向かって転動したときに発生する回転速度より小さくなる。そして、排出樋１５の傾斜は一定であり排出樋１５の傾斜によって発生する回転速度は一定である。したがって、図５（ａ）の軌跡Ｋ１に示すように、遊技球Ｂが転動面４１ａを転動するとき、遊技球Ｂは落下点Ｐ１から転動面４１ａへ移送されて転動面４１ａを転動したときと比べて、進行方向を転動方向Ｍ１へ傾けて排出樋１５の下流端側へ向かって流下する。そして、遊技球Ｂは一方の傾斜面４２ａから転動面４１ａを介して他方の傾斜面４３ａにまで転動しても、他方の傾斜面４３ａの傾斜によって遊技球Ｂの転動面４１ａに向かった転動を速やかに再開させることができ、転動面４１ａでは遊技球Ｂの転動を常に確保することができる。
【００２５】
その後、遊技球Ｂは上述したように両球受け部４２，４３の間を往復しながら排出樋１５の下流端側へ流下していくが、流下するに従い遊技球Ｂの各傾斜面４２ａ，４３ａへの上昇距離が徐々に短くなっていく。このため、傾斜面４２ａ，４３ａでの停止点から転動面４１ａへ向かって転動を再開したとき、直交方向Ｍ２へ発生する遊技球Ｂの回転速度が、流下するに従い徐々に小さくなっていく。その結果、最終的に遊技球Ｂは排出樋１５の傾斜のみによる転動方向Ｍ１への転動によって排出樋１５の下流端側へ流下していく。
【００２６】
次に、遊技球Ｂが落下点Ｐ２に落下した場合について説明する。図５（ａ）の軌跡Ｋ２に示すように、落下点Ｐ２に落下した遊技球Ｂは、上記のように傾斜面４２ａの傾斜と、排出樋１５の傾斜によって転動面４１ａに向かって転動を開始する。このとき、落下点Ｐ２の高さ（転動面４１ａからの高さ）は、落下点Ｐ１の高さ（転動面４１ａからの高さ）より低くなっている。したがって、遊技球Ｂが転動面４１ａを転動するとき、遊技球Ｂが落下点Ｐ１から移送されて転動面４１ａを転動したときと比べて、排出樋１５の下流端側へ流下しながら転動面４１ａを転動する。そして、遊技球Ｂは、上記のように両球受け部４２，４３の間を往復しながら流下していくが、落下点Ｐ２から転動面４１ａへ移送されることによって発生する回転速度は、落下点Ｐ１から転動面４１ａへ移送されることによって発生する回転速度よりも小さい。したがって、遊技球Ｂが落下点Ｐ１に落下したときと比べて、傾斜面４２ａ，４３ａを上昇する距離は短く、また、傾斜面４２ａ，４３ａを上昇する回数も少なくなる。その結果、遊技球Ｂの落下位置が転動面４１ａに近いほど、遊技球Ｂが傾斜面４２ａ，４３ａを上昇せず転動面４１ａのみを転動するようになるまでに、遊技球Ｂが球受け部４２，４３の間を往復する回数が減り遊技球Ｂを転動方向Ｍ１へ速やかに流下させることができる。
【００２７】
上記実施形態によれば、以下のような効果を得ることができる。
（１）排出樋１５において、傾斜面４２ａ，４３ａにおける下端縁と転動面４１ａにおける端縁とは連続して繋がっている。すなわち、傾斜面４２ａ，４３ａと転動面４１ａとは段差なく連設されている。このため、パチンコ機Ｐから排出され球受け部４２，４３に落下した遊技球Ｂを傾斜面４２ａ，４３ａから転動面４１ａへと転動させながら移送することができる。したがって、例えば、球受け部４２，４３と樋部４１との間に高低差（段差）が形成されている場合と異なり、遊技球Ｂが傾斜面４２ａ，４３ａから転動面４１ａへ落下して移送されることが無い。このため、転動面４１ａへ移送された遊技球Ｂが転動面４１ａに衝突して該転動面４１ａにて転動を停止した状態や転動速度が落ちた状態となることを防止することができる。その結果、傾斜面４２ａ，４３ａから転動面４１ａへ移送された遊技球Ｂの排出樋１５の下流側へ向かった転動速度の低下を抑制することができ、パチンコ機Ｐから排出された遊技球Ｂの移送性を良好なものとすることができる。
【００２８】
（２）一対の傾斜面４２ａ，４３ａが転動面４１ａに向かって下り傾斜するように形成されている。このため、例えば、一方の球受け部４２に落下した遊技球Ｂが一方の傾斜面４２ａから転動面４１ａへと転動し、さらに他方の傾斜面４３ａにまで転動しても、他方の傾斜面４３ａの傾斜によって遊技球Ｂの転動面４１ａに向かった転動を速やかに再開させることができる。したがって、例えば、転動面４１ａの両側に樋部４１の一部が側壁として立設されその上部に傾斜面４２ａ，４３ａが形成されている場合のように、傾斜面４２ａから転動面４１ａに移送された遊技球Ｂが立設された側壁に衝突してその転動を停止したり転動速度が落ちたりすることを防止することができる。その結果、転動面４１ａでは遊技球Ｂの転動を常に確保して遊技球Ｂの排出樋１５の下流端側への移送性の向上に寄与することができる。
【００２９】
（３）また、球受け部４２，４３が樋部４１における直交方向Ｍ２に該樋部４１を挟んで相対向するように設けられている。このため、島設備１０において排出樋１５を挟んで設置された複数のパチンコ機Ｐから遊技球Ｂが排出されても、該遊技球Ｂを両球受け部４２，４３によって受けて傾斜面４２ａ，４３ａから転動面４１ａへと転動させることができる。したがって、パチンコ機Ｐから排出されたほとんどの遊技球Ｂの排出樋１５の下流端側へ向かった転動速度の低下を抑制することができ、パチンコ機Ｐから排出された遊技球Ｂの移送性を良好なものとすることができる。
【００３０】
（４）球受け部４２，４３と樋部４１を有し、球受け部４２，４３が備える傾斜面４２ａ，４３ａの下端縁と樋部４１が備える転動面４１ａの端縁とが連続して繋がった底部形成部材４０を樋本体３０の底部（底壁３１）に敷設することによって、パチンコ機Ｐから排出された遊技球Ｂの移送性が良好とされた排出樋１５を提供することができる。本実施形態では底部形成部材４０に樋部４１と球受け部４２，４３を一体形成したため、樋本体３０に対する底部形成部材４０の敷設作業を容易に行うことができ、排出樋１５の製造を簡単に行うことができる。
【００３１】
（５）傾斜面４２ａ，４３ａの下端縁と転動面４１ａの端縁との間に段差が形成されていないことになるため、傾斜面４２ａ，４３ａと転動面４１ａとの間に高低差（段差）が形成されない。このため、傾斜面４２ａ，４３ａから転動面４１ａに移送される途中で遊技球Ｂが転動面４１ａに向かって落下することを確実に無くすことができ、遊技球Ｂが転動面４１ａにて転動を停止した状態や転動速度が落ちた状態となることを確実に防止することができる。したがって、転動面４１ａへ移送された遊技球Ｂの排出樋１５の下流側へ向かった転動を良好なものとして樋部４１における遊技球Ｂの移送性を良好なものとすることができる。
【００３２】
（６）転動面４１ａは転動方向Ｍ１及び直交方向Ｍ２へ平坦に延びる平面状に形成されている。このため、例えば、転動面４１ａが前記直交方向Ｍ２へ円弧状に湾曲したり直交方向Ｍ２への断面がＶ字状に形成されている場合と比較して、傾斜面４２ａ，４３ａから転動面４１ａにまで移送された遊技球Ｂを転動面４１ａにおける直交方向Ｍ２の中央部に集束しにくくすることができる。そして、遊技球Ｂが転動面４１ａ上で転動不能となって滞留してしまう不具合の発生を阻止することができる。このため、遊技球Ｂが転動面４１ａ上を転動可能となる面積を広く確保することができ、パチンコ機Ｐから排出された遊技球Ｂの移送性をより一層良好なものとすることができる。
【００３３】
なお、本実施形態は以下のように変更してもよい。
・  図６に示すように、底部形成部材４０を、例えば、上面に転動面４１ａを備えた樋部形成部材４５と、上面に傾斜面４２ａ，４３ａを備え前記樋部形成部材４５の両側に設けられる球受け部形成部材４６，４７とに分割形成してもよい。そして、それら樋部形成部材４５と球受け部形成部材４６，４７を一体化して底部形成部材４０を構成したとき、転動面４１ａと傾斜面４２ａ，４３ａとの間が無段差状になるように形成する。なお、樋部形成部材４５と球受け部形成部材４６，４７の形状等は任意に変更してもよい。
【００３４】
・  転動面４１ａを遊技球Ｂの直交方向Ｍ２へ平坦に延びる平面状に形成したが、転動面４１ａを、その直交方向Ｍ２へ若干円弧状に湾曲するように形成してもよい。
・  転動面４１ａに転動方向Ｍ１へ直線状に延びる溝を形成してもよい。なお、この溝の幅は遊技球Ｂの直径よりも小さくする。
【００３５】
・  樋本体３０に底部形成部材４０を接着剤にて接着して排出樋１５を形成したが、樋本体３０の側壁３２間に底部形成部材４０を嵌合して樋本体３０と底部形成部材４０とを一体化してもよく、樋本体３０に底部形成部材４０をビス固定等して一体化してもよい。
【００３６】
・  底部形成部材４０のいずれか一方の長辺側縁部のみに球受け部（傾斜面）を形成し、傾斜面４２ａを転動面４１ａの一方の長辺側縁部のみに設けてもよい。
次に、上記実施形態及び別例から把握できる技術的思想について以下に追記する。
【００３７】
（イ）前記傾斜面の下端縁と前記転動面の端縁とを連続して繋いだことにより、前記傾斜面と前記転動面との間を無段差状に形成した請求項１又は請求項２に記載の底部形成部材。
【００３８】
（ロ）前記転動面は樋部における遊技球の転動方向に対して直交する直交方向へ平坦に延びる平面状に形成されている請求項１、請求項２及び技術的思想（イ）のいずれか一項に記載の底部形成部材。
【００３９】
（ハ）複数の遊技機が設置された島設備内に設けられ、各遊技機から排出された遊技球を受け入れ該遊技球を転動移送させる排出樋の樋本体底部に敷設される底部形成部材であって、前記各遊技機から排出された遊技球を受ける球受け部を有するとともに、該遊技球を転動させる転動面を備えた樋部を有し、前記球受け部は該球受け部に落下した遊技球を前記転動面に向かって案内する下り傾斜した傾斜面を備え、該傾斜面と前記転動面とを段差なく連設したことを特徴とする底部形成部材。
【図面の簡単な説明】
【００４０】
【図１】実施形態における島設備全体を示す一部切欠概略断面図。
【図２】パチンコ機とアウトタンクとの位置関係を示す側面図。
【図３】実施形態の排出樋の一部を示す部分斜視図。
【図４】実施形態において遊技球が転動する様子を示す説明図。
【図５】（ａ）は実施形態の排出樋を流下する遊技球の軌跡を示す説明図、（ｂ）は図５（ａ）における５ｂ−５ｂ線断面図。
【図６】別例の排出樋を示す断面図。
【図７】従来の排出樋を示す断面図。
【符号の説明】
【００４１】
Ｍ１…転動方向、Ｍ２…直交方向、Ｂ…遊技球、Ｐ…パチンコ機（遊技機）、１０…島設備、１５…排出樋、３０…樋本体、３１…底部、４０…底部形成部材、４１…樋部、４１ａ…転動面、４２，４３…球受け部、４２ａ，４３ａ…傾斜面。
【図１】
2006061669.tif 000003
【図２】
2006061669.tif 000004
【図３】
2006061669.tif 000005
【図４】
2006061669.tif 000006
【図５】
2006061669.tif 000007
【図６】
2006061669.tif 000008
【図７】
2006061669.tif 000009